(57)【要約】【課題】上段容器及び下段容器を、二段式に配置可能であると共に分離して組み立て可能な容器を提供する。【解決手段】下段容器２と、下段容器２の上面に配置可能な上段容器３とを具備する二段式の弁当箱１が、上段容器３の下面に凹部が形成され、下段容器２の上面に凹部が形成され、上段容器３の凹部と下段容器２の凹部とを互いに嵌合させ、上段容器３の長手方向と下段容器２の長手方向とが交差するように配置可能である。【選択図】図２
0003183850.tif 000002
【実用新案登録請求の範囲】
【請求項１】
下段容器と、該下段容器の上面に配置可能な上段容器とを具備する二段式の容器であって、
前記上段容器の下面に凹部が形成され、
前記下段容器の上面に凹部が形成され、
前記上段容器の凹部と前記下段容器の凹部とを互いに嵌合させ、前記上段容器の長手方向と前記下段容器の長手方向とが交差するように配置可能であることを特徴とする容器。
【請求項２】
前記上段容器の長手方向と前記下段容器の長手方向とが直交するように配置した状態で、上方から見て略正方形であることを特徴とする請求項１に記載の容器。
【請求項３】
前記上段容器又は前記下段容器の一方に設けられた嵌合突起と、前記上段容器又は前記下段容器の他方に設けられた嵌合溝とが、前記上段容器の長手方向と前記下段容器の長手方向とが交差するように配置した状態で、嵌合していることを特徴とする請求項１又は２に記載の容器。
【請求項４】
前記下段容器の凹部に配置可能な中段容器をさらに具備することを特徴とする請求項１から３のいずれか１つに記載の容器。
【考案の詳細な説明】
【技術分野】
【０００１】
本考案は、容器、特に弁当箱等の食品容器に関する。
【背景技術】
【０００２】
下段容器と、下段容器の上面に配置可能な上段容器とを有する二段式の容器、例えば二段式の弁当箱が公知である（特許文献１）。このような弁当箱は、例えば、下段容器に副食を収容し、上段容器に主食を収容するようにして使用される。弁当箱の運搬時には、下段容器の上面に上段容器を配置し、上段容器及び下段容器が、ゴムバンド等によって互いに固定される。他方、弁当箱の使用時、すなわち収容された食品を食する際には、上段容器及び下段容器が互いに分離され、テーブル等に配置される。
【先行技術文献】
【特許文献】
【０００３】
【特許文献１】特開２０００−１１６４２５号公報
【考案の概要】
【考案が解決しようとする課題】
【０００４】
しかしながら、使用者が弁当箱内の食品を食する際に、上段容器及び下段容器を配置するためのテーブル等の平面がない場合がある。例えば、使用者が、公園のベンチに座って弁当箱内の食品を食する際には、上段容器及び下段容器を不安定な膝の上に別々に置かざるを得ない。このような場合に、上段容器又は下段容器が膝の上から落下してしまう場合がある。
【０００５】
本考案は、上段容器及び下段容器を、二段式に配置可能であると共に分離して組み立て可能な容器を提供する。
【課題を解決するための手段】
【０００６】
請求項１に記載の考案によれば、下段容器と、該下段容器の上面に配置可能な上段容器とを具備する二段式の容器であって、前記上段容器の下面に凹部が形成され、前記下段容器の上面に凹部が形成され、前記上段容器の凹部と前記下段容器の凹部とを互いに嵌合させ、前記上段容器の長手方向と前記下段容器の長手方向とが交差するように配置可能であることを特徴とする容器が提供される。
【０００７】
すなわち、請求項１に記載の考案では、容器の運搬時には、下段容器の上面に上段容器を配置するという二段式に配置することによって、底面積を小さくすることが可能となり、鞄や袋の中において収納し易くなる。なお、この状態を「縦型配置」という。他方、収容された食品を食する際には、この状態から上段容器を分離して持ち上げて鉛直軸線周りに回転させ、すなわち、上段容器の長手方向と下段容器の長手方向とが交差、例えば直交するように配置し、上段容器を下段容器の上から被せて上段容器の凹部と下段容器の凹部とを互いに嵌合させることによって組み立てる。なお、この状態を「横型配置」という。この横型配置の状態では、下段容器を持ち上げることによって併せて上段容器も一体的に持ち上げることが可能となる。従って、例えば上述の例で言うと、上段容器及び下段容器を一体的に膝の上に置くことができ、また下段容器を持ち上げることによって、安定した状態で食品を食することができる。
【０００８】
また、請求項２に記載の考案によれば請求項１に記載の考案において、前記上段容器の長手方向と前記下段容器の長手方向とが直交するように配置した状態で、上方から見て略正方形であることを特徴とする容器が提供される。
【０００９】
すなわち、請求項２に記載の考案では、使用者が上方から見た際の意匠性に優れた容器を提供することができる。
【００１０】
また、請求項３に記載の考案によれば請求項１又は２に記載の考案において、前記上段容器又は前記下段容器の一方に設けられた嵌合突起と、前記上段容器又は前記下段容器の他方に設けられた嵌合溝とが、前記上段容器の長手方向と前記下段容器の長手方向とが交差するように配置した状態で、嵌合していることを特徴とする容器が提供される。
【００１１】
すなわち、請求項３に記載の考案では、上段容器及び下段容器間の嵌合によって、下段容器のみならず、上段容器を持ち上げることによっても、容器全体を持ち上げることが可能となる。すなわち、上述の例で言うと、使用者が食品を食する際に、容器を持つ箇所を気にすることなく、上段容器及び下段容器を一体的に持ち上げることが可能となり、安定した状態で食品を食することができる。
【００１２】
また、請求項４に記載の考案によれば請求項１から３のいずれか１つに記載の考案において、前記下段容器の凹部に配置可能な中段容器をさらに具備することを特徴とする容器が提供される。
【００１３】
すなわち、請求項４に記載の考案では、収容量を増やすことができ、且つ、下段容器の上面に上段容器を配置した状態で、上段容器の凹部と下段容器の凹部との間にできた空間に中段容器が配置されるので、空間を有効に活用することが可能となる。
【考案の効果】
【００１４】
各請求項に記載の考案によれば、上段容器及び下段容器を、二段式に配置可能であると共に分離して組み立て可能な容器を提供するという共通の効果を奏する。
【図面の簡単な説明】
【００１５】
【図１】本考案の実施形態に係る二段式の弁当箱の縦型配置の斜視図である。
【図２】図１に示された弁当箱の蓋をした状態の横型配置の斜視図である。
【図３】図１に示された弁当箱の蓋を外した状態の横型配置の斜視図である。
【図４】図１に示された下段容器の斜視図である。
【図５】図１に示された上段容器の斜視図である。
【図６】図１に示された上段容器用の上段蓋の斜視図である。
【図７】図１に示された上カバーの斜視図である。
【図８】図１に示された下段容器用の下段蓋の斜視図である。
【図９】図１に示された中段容器の斜視図である。
【図１０】図１に示された中段容器用の中段蓋の斜視図である。
【図１１】図１に示されたストラップの斜視図である。
【図１２】図３に示された仕切板の斜視図である。
【図１３】上段容器及び下段容器間の嵌合を示す断面図である。
【図１４】本考案の別の実施形態に係る弁当箱の横型配置の略平面図である。
【考案を実施するための形態】
【００１６】
以下、図面を参照しながら本考案の実施の形態を詳細に説明する。全図面に渡り、対応する構成要素には共通の参照符号を付す。なお、本明細書では、本考案の実施形態について弁当箱を用いて説明するが、本考案をその他の容器に適用することができる。
【００１７】
図１は、本考案の実施形態に係る二段式の弁当箱１の縦型配置の斜視図である。弁当箱１は、下段容器２と上段容器３とを有する。上段容器３は、上段蓋４によって上部開口が閉鎖される。上段蓋４の上には、さらに上カバー５が被せられる。下段容器２は、２つの下段蓋６によって上部開口がそれぞれ閉鎖される。上段容器３及び下段容器２間には、中段容器７が配置される。中段容器７は、中段蓋８によって上部開口が閉鎖される。上段容器３は、下段容器２の上面、すなわち下段蓋６上に配置されることによって、弁当箱１の縦型配置が可能となる。縦型配置の弁当箱１は、底面積を小さくすることが可能となることから、鞄や袋の中において収納し易くなる。縦型配置の上段容器３及び下段容器２は、ストラップ９によって互いに固定される。以下、弁当箱１の使用方法及び各構成について詳述する。
【００１８】
図２は、図１に示された弁当箱１の蓋をした状態の横型配置の斜視図であり、図３は、図１に示された弁当箱１の蓋を外した状態の横型配置の斜視図である。弁当箱１を縦型配置から横型配置にするためには、図１に示された縦型配置から、ストラップ９を外した後、上段容器３を分離して持ち上げて鉛直軸線周りに９０度回転させる。すなわち、上段容器３の長手方向と下段容器２の長手方向とが、上方から見て直交するように配置し、上段容器３を下段容器２の上から被せて上段容器３の後述する第２凹部３３（図５）と下段容器２の後述する第１凹部２３（図４）とを互いに嵌合させることによって組み立てる。この横型配置の状態では、下段容器２を持ち上げることによって併せて上段容器３も一体的に持ち上げることが可能となる。従って、例えば上段容器３及び下段容器２を一体的に膝の上に置くことができ、また下段容器２を持ち上げることによって、安定した状態で食品を食することができる。
【００１９】
横型配置の弁当箱１は、上方から見て略正方形を形成する。言い換えると、上段容器３及び下段容器２は、横型配置の弁当箱１が上方から見て略正方形を形成するように、個々の底面形状又は上面形状が形成される。従って、この弁当箱１によれば、使用者が上方から見た際の意匠性に優れている。
【００２０】
図４は、図１に示された下段容器２の斜視図である。下段容器２は、両端に一対の第１容器２１と、これら第１容器２１の対向する下方部分を連結する平板状の第１接続部材２２とを有する。第１接続部材２２が、第１容器２１間の下方部分を連結することから、第１接続部材２２の上方、すなわち下段容器２の上面には、第１凹部２３が形成されていると言える。第１接続部材２２の上面には、上方から見て正方形で、中段容器７を受容する受容凹部２４が形成されている。また、第１接続部材２２の両側面には、後述する上段容器３の嵌合突起３４と嵌合する嵌合溝２５がそれぞれ形成されている。さらに、受容凹部２４の各第１容器２１側の内壁面には、中段容器７の後述する係合突起７２と係合する係合突起２６が形成されている。
【００２１】
図５は、図１に示された上段容器３の斜視図である。上段容器３は、両端に一対の第２容器３１と、これら第２容器３１の対向する上方部分を連結する第２接続部材３２とを有する。第２接続部材３２は、底壁３２ａと底壁３２ａの側縁から上方に延びる対向する一対の側壁３２ｂとを有する。第２接続部材３２の底壁３２ａ及び側壁３２ｂ並びに一対の第２容器３１は、連続した１つの収容空間を画成する。第２接続部材３２が、第２容器３１間の上方部分を連結することから、第２接続部材３２の下方、すなわち上段容器３の下面には、第２凹部３３が形成されていると言える。第２凹部３３の対向する内壁面、すなわち第２容器３１の対向する外壁面には、下段容器２の嵌合溝２５と嵌合する嵌合突起３４（図１３）が形成されている。
【００２２】
図６は、図１に示された上段容器３用の上段蓋４の斜視図である。上段蓋４は、上段容器３の上部開口と同形状に形成された平板状の上段蓋本体４１と、上段蓋本体４１上面の周縁に沿って形成され且つ上方に延びるリブ４２とを有する。上段蓋４の両端部分のリブ４２は、より上方に突出した隆起部４３を有する。上段蓋本体４１とリブ４２と隆起部４３とは、第３凹部４４を画成する。
【００２３】
図７は、図１に示された上カバー５の斜視図である。上カバー５は、上段容器３の上部開口、すなわち上段蓋４の上段蓋本体４１と同形状に形成された平板状の上カバー本体５１を有する。上カバー本体５１の下面には、上段蓋本体４１の第３凹部４４に対応する第４凹部５２（図示せず）が形成されている。上段蓋４の上に上カバー５を被せた状態では、上段蓋４の第３凹部４４と上カバー５の第４凹部５２とが１つの閉鎖空間を画成し、その中に、物品、例えば箸、スプーン及びフォーク等を収容することができる。
【００２４】
図８は、図１に示された下段容器２用の下段蓋６の斜視図である。下段蓋６は、下段容器２の第１容器２１の上部開口と同形状に形成された平板状の下段蓋本体６１と、下段蓋本体６１上面の周縁に沿って形成され且つ上方に延びるリブ６２とを有する。下段容器２の両端部分に対応する下段蓋６のリブ６２は、より上方に突出した隆起部６３を有する。
【００２５】
図９は、図１に示された中段容器７の斜視図である。中段容器７は、箱形の中段容器本体７１を有する。中段容器本体７１の対向する側面の外側下方部分には、下段容器２の受容凹部２４に形成された係合突起２６と係合する係合突起７２がそれぞれ形成されている。中段容器本体７１の一側面の上方部分には、フック形状の係止部７３が形成されている。
【００２６】
図１０は、図１に示された中段容器７用の中段蓋８の斜視図である。中段蓋８は、中段容器７の上部開口と同形状に形成された平板状の中段蓋本体８１と、中段蓋本体８１上面の周縁に沿って形成され且つ上方に延びるリブ８２とを有する。中段蓋８の１つの対角線上の部分のリブ８２は、より上方に突出した隆起部８３を有する。
【００２７】
中段容器７は、中段蓋８によって閉鎖した状態で、中段容器７の係合突起７２と下段容器２の係合突起２６とを係合させることによって、下段容器２の受容凹部２４に嵌め込むことができる。言い換えると、中段容器７及び中段蓋８は、下段容器２の第１凹部２３に配置することができるような、大きさ及び形状に形成される。さらに、中段容器７及び中段蓋８を下段容器２の第１凹部２３に配置した状態で、下段容器２の上面に上段容器３を配置することもできる。弁当箱１が、上段容器３及び下段容器２に加え、中段容器７をさらに有することによって、食品の収容量を増やすことができる。また、縦型配置の弁当箱１において、下段容器２の第１凹部２３と上段容器３の第２凹部３３との間にできた空間に、中段容器７が配置されるので、空間を有効に活用することが可能となる。また、横型配置の弁当箱１において、図３に示されるように、中段容器本体７１の係止部７３を、上段容器３又は下段容器２の上部開口周縁に係止させることによって、上段容器３及び下段容器２と一体的に中段容器７を扱うことが可能となる。
【００２８】
図１１は、図１に示されたストラップ９の斜視図である。ストラップ９は、細長状のストラップ本体９１と、一端に設けられた第１ボタン９２と、より中央寄りの部分に設けられた第２ボタン９３とを有する。ストラップ本体９１の他端には、第１ボタン穴９４が形成され、より中央寄りの部分には第２ボタン穴９５が形成されている。
【００２９】
図１に示されるように、弁当箱１の縦型配置の場合には、弁当箱１の中央部分周囲にストラップ９を巻き、第１ボタン９２を第１ボタン穴９４に通すことによって、上段容器３及び下段容器２が互いに固定される。他方、弁当箱１は、その全体ではなく、上段容器３のみを運搬するように使用してもよい。この場合には、上段容器３を上段蓋４によって閉鎖した状態で、さらに上カバー５を上から被せる。この状態で、図１と同様に、ストラップ９を上段容器３に巻くが、同様にするとストラップ９が余ってしまう。そこで、第１ボタン９２を第２ボタン穴９５に通し、且つ、第２ボタン９３を第１ボタン穴９４に通すことによって、上段容器３及び上カバー５を互いに固定することができ、ストラップ９が余ってしまうこともない。
【００３０】
図１２は、図３に示された仕切板１０の斜視図である。仕切板１０は、仕切板本体１０１と、仕切板本体１０１に垂直で互いに対向する支持壁１０２と、仕切板本体１０１及び対向する支持壁１０２を連結する底壁１０３とを有する。仕切板１０を、上段容器３の第２接続部材３２の底壁３２ａ上の所望の位置に配置し、上段容器３の収容空間を自由に仕切ることができる。
【００３１】
図１３は、上段容器３及び下段容器２間の嵌合を示す断面図であり、すなわち、横型配置の弁当箱１において、上段容器３の長手方向に沿った部分縦断面図である。上段容器３を下段容器２の上から被せて上段容器３の第２凹部３３と下段容器２の第１凹部２３とを互いに嵌合させる際に、上段容器３の嵌合突起３４と下段容器２の嵌合溝２５とがスナップ式に嵌合する。それによって、下段容器２のみならず、上段容器３を持ち上げることによっても、弁当箱１全体を持ち上げることが可能となる。すなわち、例えば使用者が食品を食する際に、弁当箱１を持つ箇所を気にすることなく、上段容器３及び下段容器２を一体的に持ち上げることが可能となり、安定した状態で食品を食することができる。
【００３２】
下段容器２と、上段容器３と、上カバー５と、中段容器７と、仕切板１０とは、硬質の合成樹脂を一体成型することによってそれぞれ形成される。これらは同一の材料を用いてもよく、また異なる材料を用いてもよい。また、上段蓋４と、下段蓋６と、中段蓋８と、ストラップ９とは、軟質の合成樹脂等の弾性材料を一体成型することによってそれぞれ形成される。これらは同一の材料を用いてもよく、また異なる材料を用いてもよい。
【００３３】
上述した実施形態では、弁当箱１の横型配置の状態で、上方から見て略正方形であったが、その他の形状となるようにしてもよい。また、上段容器の長手方向と下段容器の長手方向とが直交ではなく、その他の角度で交差するようにしてもよい。図１４は、本考案の別の実施形態に係る弁当箱１１の横型配置の略平面図である。図１４に示されるように、収納空間の形状を、円形を組み合わせた形状としてもよい。その他、三角形を組み合わせた形状としてもよい。
【符号の説明】
【００３４】
１    弁当箱
２    下段容器
３    上段容器
４    上段蓋
５    上カバー
６    下段蓋
７    中段容器
８    中段蓋
９    ストラップ
１０    仕切板
【図１】
0003183850.tif 000003
【図２】
0003183850.tif 000004
【図３】
0003183850.tif 000005
【図４】
0003183850.tif 000006
【図５】
0003183850.tif 000007
【図６】
0003183850.tif 000008
【図７】
0003183850.tif 000009
【図８】
0003183850.tif 000010
【図９】
0003183850.tif 000011
【図１０】
0003183850.tif 000012
【図１１】
0003183850.tif 000013
【図１２】
0003183850.tif 000014
【図１３】
0003183850.tif 000015
【図１４】
0003183850.tif 000016